(57)【要約】  ネットワークノードは、ユーザ装置から上位レイヤのメッセージを受信する受信部と、上位レイヤを終端し、かつ分離する複数の上位ネットワークノードから、前記上位レイヤのメッセージを送信する上位ネットワークノードを決定する制御部と、前記決定された上位ネットワークノードに前記上位レイヤのメッセージを送信する送信部とを有する。
2020166006.tif 000002
【特許請求の範囲】
【請求項１】
ユーザ装置から上位レイヤのメッセージを受信する受信部と、
上位レイヤを終端し、かつ分離する複数の上位ネットワークノードから、前記上位レイヤのメッセージを送信する上位ネットワークノードを決定する制御部と、
前記決定された上位ネットワークノードに前記上位レイヤのメッセージを送信する送信部とを有するネットワークノード。
【請求項２】
前記制御部は、前記上位レイヤのメッセージの一部をデコードした結果に基づいて、前記上位レイヤのメッセージを送信する上位ネットワークノードを決定する請求項１記載のネットワークノード。
【請求項３】
前記制御部は、前記上位レイヤのメッセージのうち、前記上位レイヤのメッセージを送信する上位ネットワークノードを決定するために必要な部分のみをデコードする請求項２記載のネットワークノード。
【請求項４】
前記制御部は、前記複数の上位ネットワークノードに接続を試行することで、前記上位レイヤのメッセージを送信する上位ネットワークノードを決定する請求項１記載のネットワークノード。
【請求項５】
前記制御部は、前記複数の上位ネットワークノードに接続を試行した応答に基づいて、前記上位レイヤのメッセージを送信する上位ネットワークノードを決定する請求項４記載のネットワークノード。
【請求項６】
前記制御部は、前記複数の上位ネットワークノードのうち、優先インタフェースが設定された上位ネットワークノードから受信した指示に基づいて、前記上位レイヤのメッセージを送信する上位ネットワークノードを決定する請求項１記載のネットワークノード。
【発明の詳細な説明】
【技術分野】
【０００１】
本発明は、無線通信システムにおけるネットワークノードに関する。
【背景技術】
【０００２】
ＬＴＥ（Long Term Evolution）の後継システムであるＮＲ（New Radio）（「５Ｇ」ともいう。）においては、要求条件として、大容量のシステム、高速なデータ伝送速度、低遅延、多数の端末の同時接続、低コスト、省電力等を満たす技術が検討されている（例えば非特許文献１）。【０００３】
ＮＲ無線通信システムでは、ＬＴＥ無線通信システムにおけるデュアルコネクティビティと同様に、ＬＴＥ無線通信システムの基地局（ｅＮＢ）とＮＲ無線通信システムの基地局（ｇＮＢ）との間でデータを分割し、これらの基地局によってデータを同時送受信する、ＬＴＥ−ＮＲデュアルコネクティビティ、ＮＲ−ＮＲデュアルコネクテビティ又はマルチＲＡＴ（Multi Radio Access Technology）デュアルコネクティビティ（以下、「ＭＲ−ＤＣ」という。）と呼ばれる技術が導入されている（例えば非特許文献２）。【０００４】
また、ＮＲ無線通信システムでは、ＨＬＳ（Higher layer split）が導入されている。ｇＮＢ−ＣＵ（Central Unit）に上位レイヤ、ｇＮＢ−ＤＵ（Distributed Unit）に下位レイヤが分離して配置される（例えば非特許文献３）。なお、ＬＴＥ無線通信システムにおいても、同様のＣＵ−ＤＵ構成を取ることが可能である（ＨＬＳが導入されている）。
【先行技術文献】
【非特許文献】
【０００５】
【非特許文献１】３ＧＰＰ  ＴＳ  ３８．３００  Ｖ１５．４．０（２０１８−１２）
【非特許文献２】３ＧＰＰ  ＴＳ  ３７．３４０  Ｖ１５．４．０（２０１８−１２）
【非特許文献３】３ＧＰＰ  ＴＳ  ３８．４０１  Ｖ１５．４．０（２０１８−１２）
【発明の概要】
【発明が解決しようとする課題】
【０００６】
ＮＲ及びＬＴＥの無線通信システムにおいて、単一のＤＵに対して、複数のＨＬＳインタフェースを接続することが検討されている。単一のＤＵが、複数のＨＬＳインタフェースを有する場合、ＣＵ−ＤＵ間の信号伝送に不整合が生じる場合があった。【０００７】
本発明は上記の点に鑑みてなされたものであり、無線通信システムにおけるネットワークノード間で整合された情報を送受信することを目的とする。
【課題を解決するための手段】
【０００８】
開示の技術によれば、ユーザ装置から上位レイヤのメッセージを受信する受信部と、上位レイヤを終端し、かつ分離する複数の上位ネットワークノードから、前記上位レイヤのメッセージを送信する上位ネットワークノードを決定する制御部と、前記決定された上位ネットワークノードに前記上位レイヤのメッセージを送信する送信部とを有するネットワークノードが提供される。
【発明の効果】
【０００９】
開示の技術によれば、無線通信システムにおけるネットワークノード間で整合された情報を送受信することができる。
【図面の簡単な説明】
【００１０】
【図１】本発明の実施の形態におけるネットワークアーキテクチャの構成例を示す図である。
【図２】本発明の実施の形態における無線通信システムの構成例（１）を示す図である。
【図３】本発明の実施の形態における無線通信システムの構成例（２）を示す図である。
【図４】本発明の実施の形態における信号送信の例（１）を説明するための図である。
【図５】本発明の実施の形態における信号送信の例（２）を説明するための図である。
【図６】本発明の実施の形態における動作例（１）を説明するためのフローチャートである。
【図７】本発明の実施の形態における動作例（２）を説明するためのフローチャートである。
【図８】本発明の実施の形態における動作例（３）を説明するためのフローチャートである。
【図９】本発明の実施の形態における動作例（４）を説明するためのフローチャートである。
【図１０】本発明の実施の形態における動作例（５）を説明するためのフローチャートである。
【図１１】本発明の実施の形態における初期化の例（１）を説明するための図である。
【図１２】本発明の実施の形態における初期化の例（２）を説明するための図である。
【図１３Ａ】バージョン通知動作の例（１）を説明するための図である。
【図１３Ｂ】バージョン通知動作の例（２）を説明するための図である。
【図１３Ｃ】バージョン通知動作の例（３）を説明するための図である。
【図１４】本発明の実施の形態におけるバージョン通知動作の例（１）を説明するための図である。
【図１５】本発明の実施の形態におけるバージョン通知動作の例（２）を説明するための図である。
【図１６】本発明の実施の形態におけるバージョン通知動作の例（３）を説明するための図である。
【図１７】本発明の実施の形態におけるバージョン通知動作の例（４）を説明するための図である。
【図１８】本発明の実施の形態における基地局装置１０の機能構成の一例を示す図である。
【図１９】本発明の実施の形態におけるユーザ装置２０の機能構成の一例を示す図である。
【図２０】本発明の実施の形態における基地局装置１０又はユーザ装置２０のハードウェア構成の一例を示す図である。
【発明を実施するための形態】
【００１１】
以下、図面を参照して本発明の実施の形態を説明する。なお、以下で説明する実施の形態は一例であり、本発明が適用される実施の形態は、以下の実施の形態に限られない。
【００１２】
本発明の実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１３】
また、以下で説明する本発明の実施の形態では、既存のＬＴＥで使用されているＳＳ（Synchronization signal）、ＰＳＳ（Primary SS）、ＳＳＳ（Secondary SS）、ＰＢＣＨ（Physical broadcast channel）、ＰＲＡＣＨ（Physical random access channel）、等の用語を使用する。これは記載の便宜上のためであり、これらと同様の信号、機能等が他の名称で呼ばれてもよい。また、ＮＲにおける上述の用語は、ＮＲ−ＳＳ、ＮＲ−ＰＳＳ、ＮＲ−ＳＳＳ、ＮＲ−ＰＢＣＨ、ＮＲ−ＰＲＡＣＨ等に対応する。ただし、ＮＲに使用される信号であっても、必ずしも「ＮＲ−」と明記しない。
【００１４】
また、本発明の実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。
【００１５】
また、本発明の実施の形態において、無線パラメータ等が「設定される（Configure）」とは、所定の値が予め設定（Pre-configure）されることであってもよいし、基地局装置１０又はユーザ装置２０から通知される無線パラメータが設定されることであってもよい。
【００１６】
図１は、本発明の実施の形態におけるネットワークアーキテクチャの構成例を示す図である。図１に示されるように、本発明の実施の形態における無線ネットワークアーキテクチャは、ＬＴＥ−Ａｄｖａｎｃｅｄ側において、４Ｇ−ＣＵ（Central Unit）、４Ｇ−ＤＵ（Distributed Unit）、ＥＰＣ（Evolved Packet Core）等を含む。本発明の実施の形態における無線ネットワークアーキテクチャは、５Ｇ側において、５Ｇ−ＣＵ、５Ｇ−ＤＵ、５ＧＣ（5G Core network）等を含む。
【００１７】
図１に示されるように、４Ｇ側において、４Ｇ−ＣＵは、ＲＲＣ（Radio Resource Control）レイヤ及びＰＤＣＰ（Packet Data Convergence Protocol）レイヤを含む。４Ｇ−ＤＵは、ＲＬＣ（Radio Link Control）レイヤ、ＭＡＣ（Medium Access Control）レイヤ及びＬ１（レイヤ１、ＰＨＹ層又は物理層）を含み、ＲＦを介してＵＥと接続される。４Ｇ−ＣＵ及び４Ｇ−ＤＵを含むネットワークノードをｅＮＢという。４Ｇ−ＣＵは、４Ｇ−ＤＵとＦＨ（Flonthaul）インタフェースを介して接続される。また、４Ｇ−ＣＵは、ＩＰボーダゲートウェイを介してＥＰＣに接続される。
【００１８】
一方、５Ｇ側において、図１に示されるように、５Ｇ−ＣＵは、ＲＲＣレイヤ及びＰＤＣＰレイヤを含む。４Ｇ−ＤＵは、ＲＬＣレイヤ、ＭＡＣレイヤ及びＬ１を含み、ＲＦを介してＵＥと接続される。５Ｇ−ＣＵは、ＲＲＣレイヤを含み、５Ｇ−ＤＵとＦＨインタフェースを介して接続され、５ＧＣとＮＧインタフェース（NG interface）を介して接続されている。また、５Ｇ−ＣＵは、４Ｇ−ＣＵとＸ２インタフェースで接続されている。４Ｇ−ＣＵにおけるＰＤＣＰレイヤが、４Ｇ−５ＧのＤＣ（Dual Connectivity）すなわちＥＮ−ＤＣ（E-UTRA-NR Dual Connectivity）を行う場合の結合又は分離ポイントとなる。５Ｇ−ＣＵ及び５Ｇ−ＤＵを含むネットワークノードをｇＮＢという。また、５Ｇ−ＣＵをｇＮＢ−ＣＵ、５Ｇ−ＤＵをｇＮＢ−ＤＵと呼んでもよい。以下の説明において、基地局装置１０は、ネットワークノードであるｇＮＢ−ＣＵであってもよいし、ネットワークノードであるｇＮＢ−ＤＵであってもよい。なお、上記の５Ｇを前提にしたｇＮＢ−ＣＵ及びｇＮＢ−ＤＵは、ＬＴＥ無線通信システムにおいては、ｅＮＢ−ＣＵ及びｅＮＢ−ＤＵと呼称してもよい。
【００１９】
また、図１に示されるように、４Ｇ−ＤＵと５Ｇ−ＤＵとで、ＤＣが行われる。なお図示しないが、ＵＥ（User Equipment）が、４Ｇ−ＤＵ又は５Ｇ−ＤＵのＲＦを介して無線接続され、パケットを送受信する。
【００２０】
なお、図１は、ＬＴＥ−ＮＲのＤＣすなわちＥＮ−ＤＣ（E-UTRA-NR Dual Connectivity）時の無線ネットワークアーキテクチャを示している。しかしながら、ＮＲがスタンドアロン運用される場合も、同様の無線ネットワークアーキテクチャが使用されてよい。
【００２１】
なお、５Ｇ−ＣＵに、複数の５Ｇ−ＤＵが接続されてもよい。また、複数の５Ｇ−ＣＵにＵＥが接続することによって、ＮＲ−ＤＣ（NR-NR Dual Connectivity）が行われてもよく、複数の５Ｇ−ＤＵ及び単一の５Ｇ−ＣＵにＵＥが接続することによってＮＲ−ＤＣが行われてもよい。
【００２２】
また、５Ｇ−ＤＵに、複数の５Ｇ−ＣＵが接続されてもよい。以下の説明において、５Ｇ−ＤＵに複数の５Ｇ−ＣＵが接続される構成を主に想定する。なお、以下の説明は、ＬＴＥ無線通信システムにおけるＣＵ−ＤＵ構成に適用されてもよい。
【００２３】
図２は、本発明の実施の形態における無線通信システムの構成例（１）を示す図である。図２に示されるように、ＲＡＮ（Radio Access Network）シェアリングとしてＰＬＭＮ（Public Land Mobile Network）ごとにＣＵ１０Ｂ、ＣＵ１０Ｃ及びＣＵ１０Ｄが配置され、単一のＤＵ１０Ａと接続される。すなわち、ＤＵ１０Ａは、複数のＨＬＳインタフェースを有する。ＨＬＳインタフェースは、例えば、ＰＤＣＰレイヤ又はＲＲＣレイヤが分離されるインタフェースである。
【００２４】
図３は、本発明の実施の形態における無線通信システムの構成例（２）を示す図である。図３に示されるように、Ｅ−ＵＴＲＡＮとＮＧ−ＲＡＮとでＨＬＳインタフェースを分離して、ＥＰＣに接続されるＣＵ１０Ｂと、５ＧＣに接続されるＣＵ１０Ｃとが、ＤＵ１０Ａと接続される。すなわち、ＤＵ１０Ａは、複数のＨＬＳインタフェースを有する。なお、図３の例では、ＨＬＳインタフェースごとにＣＵが分離されているが、ＣＵは単一でＨＬＳインタフェースのみ分離されている場合も想定される。
【００２５】
ここで、無線通信システムにおける信号は、ＵＥ（User Equipment）個別の信号とセル共通の信号に大別される。ＵＥ個別の信号は、いずれかのＣＵで終端される。したがって、例えば、ＰＬＭＮ  ＩＤごと、Ｅ−ＵＴＲＡＮ又はＮＧ−ＲＡＮのアクセスネットワークごとに、ＵＥ個別の信号をＣＵに割り振るための仕組みが必要となる。当該仕組みが存在しない場合、ＵＥ個別の信号の送受信において適切なＣＵを選択することができない。一方、セル共通の信号は、複数のＣＵからの通知において、ＨＬＳインタフェース間で矛盾が生じないようにするための仕組みが必要となる。当該仕組みが存在しない場合、ＤＵはいずれのＣＵの指示に従えばよいか判断できない。
【００２６】
図４は、本発明の実施の形態における信号送信の例（１）を説明するための図である。図４を用いて、ＣＵ１０Ｂ及びＣＵ１０ＣにＤＵ１０Ａが接続される場合に送信される信号の例を示す。図４に示されるように、ＵＥ個別の信号は、ＣＵ１０ＢからＵＥ個別１の信号がＤＵ１０Ａに送信され、ＣＵ１０ＣからＵＥ個別２の信号がＤＵ１０Ａに送信される。すなわち、ＵＥ個別の信号は、ＣＵ１０からそれぞれ送信される。
【００２７】
一方、図４に示されるように、セル共通の信号は、ＣＵ１０ＢのみからＤＵ１０Ａに送信される。セル共通の信号が予め特定のＣＵ１０から送信される構成とすることで、ＤＵ１０Ａは、セル共通の信号を正しくＵＥ２０に送信することができる。
【００２８】
図５は、本発明の実施の形態における信号送信の例（２）を説明するための図である。図５を用いて、ＣＵ１０Ｂ及びＣＵ１０ＣにＤＵ１０Ａが接続される場合に送信される信号の例を示す。図４と同様に、ＵＥ個別の信号は、ＣＵ１０ＢからＵＥ個別１の信号がＤＵ１０Ａに送信され、ＣＵ１０ＣからＵＥ個別２の信号がＤＵ１０Ａに送信される。すなわち、ＵＥ個別の信号は、ＣＵ１０からそれぞれ送信される。
【００２９】
一方、図５に示されるように、セル共通の信号は、ＣＵ１０ＢとＣＵ１０Ｃとでセル共通の信号の協調が行われた後、ＣＵ１０Ｂ又はＣＵ１０ＣからＤＵ１０Ａに送信される。セル共通の信号がＣＵ１０間で協調された後いずれかのＣＵ１０から送信される構成とすることで、ＤＵ１０Ａは、セル共通の信号を正しくＵＥ２０に送信することができる。
【００３０】
図６は、本発明の実施の形態における動作例（１）を説明するためのフローチャートである。図６を用いて、ＵＥ２０からＲＲＣメッセージを受信したＤＵ１０が、いずれのＣＵ１０に送信するか決定する動作例を説明する。
【００３１】
ステップＳ１１において、ＤＵ１０は、ＵＥ２０からＲＲＣメッセージを受信する。ＲＲＣレイヤは、ＤＵ１０では終端されていないため、通常ＤＵ１０はＲＲＣメッセージをデコードしない。そこで、ＤＵ１０は、ＲＲＣメッセージのうち宛先となるＣＵ１０の決定に必要な部分のみをデコードして、宛先のＣＵ１０を決定する（Ｓ１２）。続いて、ＤＵ１０は、決定した宛先のＣＵ１０にＲＲＣメッセージを送信する（Ｓ１３）。上述のように、ＵＥ２０からＲＲＣメッセージを受信したＤＵ１０が、いずれのＣＵ１０に送信するか決定することができる。
【００３２】
図７は、本発明の実施の形態における動作例（２）を説明するためのフローチャートである。図７を用いて、ＵＥ２０からＲＲＣメッセージを受信したＤＵ１０が、いずれのＣＵ１０に送信するか決定する動作例を説明する。
【００３３】
ステップＳ２１において、ＤＵ１０は、接続されている複数のＣＵ１０に接続を試行する。ＤＵ１０は、ＣＵ１０から接続可否を示す応答を受信してもよいし（Ｓ２２）、接続可であるＣＵ１０のみから応答を受信してもよい。ステップＳ２３において、ＤＵ１０は、接続可能なＣＵ１０のみに接続する。上述のように、ＵＥ２０からＲＲＣメッセージを受信したＤＵ１０が、いずれのＣＵ１０に送信するか決定することができる。
【００３４】
図８は、本発明の実施の形態における動作例（３）を説明するためのフローチャートである。図８を用いて、ＵＥ２０からＲＲＣメッセージを受信したＤＵ１０が、いずれのＣＵ１０に送信するか決定する動作例を説明する。
【００３５】
ステップＳ３１において、ＣＵ−ＤＵ間の優先インタフェースが設定される。続いて、優先インタフェースが設定されたＣＵ１０からの指示に基づいてＤＵ１０は接続するＣＵ１０を決定する（Ｓ３２）。続いて、ＤＵ１０は決定されたＣＵ１０に接続する（Ｓ３３）。ここで、ＤＵ１０は、改めて接続対象であるＣＵ１０に接続を行ってもよいし、優先インタフェースが設定されたＣＵ１０が接続対象であるＣＵ１０にＵＥコンテクスト（UE context）を送信してもよい。上述のように、ＵＥ２０からＲＲＣメッセージを受信したＤＵ１０が、いずれのＣＵ１０に送信するか決定することができる。
【００３６】
図９は、本発明の実施の形態における動作例（４）を説明するためのフローチャートである。図９を用いて、ＣＵ１０からＤＵ１０に情報が通知される動作例を説明する。
【００３７】
ステップＳ４１において、所定の情報をやり取りするＣＵ−ＤＵ間を規定するインタフェースを定める。ＣＵ１０は、定められたインタフェースのみでＤＵ１０に通知する（Ｓ４２）。ＣＵ１０は、定められたインタフェースを他のＣＵ１０に通知してもよい（Ｓ４３）。ステップＳ４３における通知は、ＣＵ１０から他のＣＵ１０に直接送信されてもよいし、ＣＵ１０からＤＵ１０を介して他のＣＵ１０に送信されてもよい。ＣＵ１０からＤＵ１０を介して他のＣＵ１０に通知が送信される場合、当該所定の情報をやり取りしないインタフェースにおいては通知が送信されなくてもよい。また、当該所定の情報ごとに、ＣＵ１０が異なってもよい。複数のＣＵ１０から所定の情報を受信した場合、ＤＵ１０は複数の所定の情報を結合する。
【００３８】
上記所定の情報は、例えば、ｇＮＢ−ＤＵシステム情報である。ｇＮＢ−ＤＵシステム情報とは、ＤＵ１０がエンコードするＳＩＢ（System Information Block）であり、ＭＩＢ（Master Information Block）及びＳＩＢ１に該当する。ＣＵ１０が、ｇＮＢ−ＤＵシステム情報の一部（例えば、禁止セル、ＵＡＣ（Unified access control）に関するパラメータ）を通知するため、ＣＵ１０間で通知に際し協調が必要となる。
【００３９】
上記所定の情報は、例えば、ｇＮＢ−ＣＵシステム情報である。ｇＮＢ−ＣＵシステム情報とは、ＣＵ１０がエンコードするＳＩＢ（System Information Block）であり、ＭＩＢ及びＳＩＢ１以外のＳＩＢに該当する。ＣＵ１０が、ｇＮＢ−ＣＵシステム情報を通知するため、ＣＵ１０間で通知に際し協調が必要となる。
【００４０】
上記所定の情報は、例えば、ＤＵのリソース設定に係るメッセージ（例えば、ｇＮＢ−ＤＵ  ＲＥＳＯＵＲＣＥ  ＣＯＯＲＤＩＮＡＴＩＯＮ）であるセル管理に係る情報である。セル管理に係る情報とは、例えば、セルの有効化、無効化、追加、削除、セル状態を示す情報等である。ＣＵ１０がセルの有効化又は無効化を決定するため、ＣＵ１０間で通知に際し協調が必要となる。また、ＣＵ１０は、セルの状態を把握する必要がある。なお、ＤＵ１０からＣＵ１０にセル管理に係る情報を通知する場合、当該所定の情報をやり取りしないインタフェースにおいて、セルの追加、削除又はステータスが通知されてもよい。
【００４１】
上記所定の情報は、例えば、緊急情報の配信に係る情報（例えば、ＷＲＩＴＥ−ＲＥＰＬＡＣＥ  ＷＡＲＮＩＮＧ）である。緊急情報の配信に係る情報は、ＣＵ１０が更新できるパラメータであるため、ＣＵ１０間の協調が必要となる。例えば、いずれのＣＵ１０が緊急情報の配信に係る情報を管理するか、又はセルごとに緊急情報の配信を分担する場合いずれのセルをいずれのＣＵ１０が担当するか協調が必要となる。
【００４２】
図１０は、本発明の実施の形態における動作例（５）を説明するためのフローチャートである。図１０を用いて、ＣＵ１０からＤＵ１０に情報が通知される動作例を説明する。
【００４３】
ステップＳ５１において、予めすべてのＣＵ１０間で所定の情報を含むいずれの信号をＤＵ１０に通知するかが協調される。すなわち、いずれの信号がいずれのＣＵ１０からＤＵ１０に通知されるかを示す情報が、ＣＵ１０間の通信によって共有される。続いて、各ＣＵ１０は、協調の結果にしたがって信号をＤＵ１０に通知する（Ｓ５２）。所定の情報は、図９で説明した所定の情報と同様である。予めＣＵ１０間で協調された所定の情報が通知されるため、各通知間で矛盾は生じない。したがって、単一のＣＵ１０が所定の情報をＤＵ１０に通知してもよいし、複数のＣＵ１０が所定の情報をＤＵ１０に通知してもよい。
【００４４】
図１１は、本発明の実施の形態における初期化の例（１）を説明するための図である。従来技術においては、複数のＨＬＳインタフェースが想定されていないため、ＵＥ個別の情報（ＵＥコンテクスト）の初期化に関して、特定のＵＥを対象とする初期化（例えば、Ｐａｒｔ  ｏｆ  Ｆ１  Ｉｎｔｅｒｆａｃｅ）又は全てのＵＥを対象とする初期化（例えば、Ｒｅｓｅｔ  Ａｌｌ）のみが規定されていた。しかしながら、複数のＨＬＳインタフェースを設定する場合、ＣＵ１０側とＤＵ１０側で初期化される範囲を整合させる必要がある。ＤＵ１０がＣＵ１０に初期化指示をする場合は、ＣＵ１０のＵＥコンテクストを初期化して問題ないが、ＣＵ１０がＤＵ１０に初期化指示をする場合は、ＤＵ１０内の他のＣＵ１０に関連するＵＥコンテクストを初期化するか否かの認識を合わせる必要がある。
【００４５】
そこで、対応するＨＬＳインタフェースに関連する部分に限定して初期化を行ってもよい。図１１に示されるように、ＣＵ１０Ｂは、ＤＵ１０ＡにＲｅｓｅｔ信号を送信すると、ＤＵ１０Ａは、ＣＵ１０Ｂ−ＤＵ１０Ａ間のインタフェースに関連するＵＥコンテクストを初期化範囲として初期化する。すなわち、ＣＵ１０Ｃ−ＤＵ１０Ａ間のインタフェースに関連するＵＥコンテクストは初期化範囲に含まれず初期化されない。
【００４６】
図１２は、本発明の実施の形態における初期化の例（２）を説明するための図である。初期化範囲をすべてのＵＥコンテクストとし、初期化指示を送信したＣＵ１０以外のＣＵ１０に初期化したことを通知し、ＤＵ１０Ａにおける初期化と同様に初期化するよう要求する通知を行うことで、ＣＵ１０側とＤＵ１０側で初期化される範囲を整合させてもよい。
【００４７】
図１２に示されるように、ＣＵ１０Ｂは、ＤＵ１０ＡにＲｅｓｅｔ信号を送信すると、ＤＵ１０Ａは、すべてのＵＥコンテクストを初期化範囲とし初期化する。続いて、ＤＵ１０Ａは、ＣＵ１０ＣにＲｅｓｅｔ信号を送信すると、ＤＵ１０ＣはＵＥコンテクストを初期化する。
【００４８】
なお、図１１に示される初期化方法と図１２に示される初期化方法とのいずれを使用するかを、図１１に示されるＣＵ１０ＢからＤＵ１０Ａに送信されるＲｅｓｅｔ信号で明示的に指示することが可能であってもよい。
【００４９】
図１３Ａは、バージョン通知動作の例（１）を説明するための図である。従来技術においては、ＤＵが、ＲＲＣコンテナ（RRC container）の一部をエンコードし、ＲＲＣコンテナをＣＵがデコードして再度上位のＲＲＣコンテナに入れるためにエンコードするパラメータ（例えば、ＭｅａｓＧａｐＣｏｎｆｉｇ）が存在する。したがって、ＣＵがＤＵのＲＲＣコンテナをデコードできる能力が必要となるため、ＣＵ−ＤＵ間で用いる最上位のＲＲＣバージョンを一致させる必要がある。そこで、ＤＵはＣＵにサポートしている最新のＲＲＣバージョンを通知し、同様にＣＵはＤＵにサポートしている最新のＲＲＣバージョンを通知して、ＣＵ及びＤＵでサポートしている最上位のＲＲＣバージョンをＣＵ−ＤＵインタフェースで使用する。
【００５０】
図１３Ａに示されるように、ＣＵのＲＲＣバージョンがＲｅｌ−１６でありＤＵのＲＲＣバージョンがＲｅｌ−１５である場合、ＤＵは「Ｆ１  ｓｅｔｕｐ  Ｒｅｑ．（Ｒｅｌ−１５）」（Ｆ１セットアップ要求）をＣＵに送信する。続いて、ＣＵは「Ｆ１  ｓｅｔｕｐ  Ｒｅｓｐ．（Ｒｅｌ−１６）」（Ｆ１セットアップ応答）をＤＵに送信する。双方でサポートしている最上位のＲＲＣバージョンはＲｅｌ−１５であるため、ＣＵ−ＤＵインタフェースではＲｅｌ−１５が使用される。
【００５１】
図１３Ｂは、バージョン通知動作の例（２）を説明するための図である。図１３Ｂに示されるように、ＣＵのＲＲＣバージョンがＲｅｌ−１５でありＤＵのＲＲＣバージョンがＲｅｌ−１６である場合、ＤＵは「Ｆ１  ｓｅｔｕｐ  Ｒｅｑ．（Ｒｅｌ−１６）」をＣＵに送信する。続いて、ＣＵは「Ｆ１  ｓｅｔｕｐ  Ｒｅｓｐ．（Ｒｅｌ−１５）」をＤＵに送信する。双方でサポートしている最上位のＲＲＣバージョンはＲｅｌ−１５であるため、ＣＵ−ＤＵインタフェースではＲｅｌ−１５が使用される。
【００５２】
図１３Ｃは、バージョン通知動作の例（３）を説明するための図である。図１３Ｃに示されるように、ＣＵのＲＲＣバージョンがＲｅｌ−１５でありＤＵのＲＲＣバージョンがＲｅｌ−１５である場合、ＤＵは「Ｆ１  ｓｅｔｕｐ  Ｒｅｑ．（Ｒｅｌ−１５）」をＣＵに送信する。続いて、ＣＵは「Ｆ１  ｓｅｔｕｐ  Ｒｅｓｐ．（Ｒｅｌ−１５）」をＤＵに送信する。双方でサポートしている最上位のＲＲＣバージョンはＲｅｌ−１５であるため、ＣＵ−ＤＵインタフェースではＲｅｌ−１５が使用される。
【００５３】
図１４は、本発明の実施の形態におけるバージョン通知動作の例（１）を説明するための図である。複数のＣＵがＤＵに接続される場合、ＣＵ間でサポートするＲＲＣバージョンが異なる場合、ＤＵはいずれのＲＲＣバージョンを使用すればよいか判断できない。
そこで、複数のＣＵ１０がＤＵ１０に接続される場合、ＣＵ１０ごとに複数のＲＲＣバージョンをＤＵ１０が使用する。システム情報等のセル共通の信号は、ＣＵごとにＲＲＣバージョンを切り替えてもよいし、ＤＵ１０が決定したＲＲＣバージョンを使用してもよい。
【００５４】
図１４に示されるように、ＣＵ１０ＢのＲＲＣバージョンがＲｅｌ−１５、ＣＵ１０ＣのＲＲＣバージョンがＲｅｌ−１６、ＤＵ１０ＡのＲＲＣバージョンがＲｅｌ−１６であった場合、ＣＵ１０Ｂ−ＤＵ１０ＡのインタフェースにはＲｅｌ−１５が使用されて、ＣＵ１０Ｃ−ＤＵ１０ＡのインタフェースにはＲｅｌ−１６が使用されてもよい。
【００５５】
図１５は、本発明の実施の形態におけるバージョン通知動作の例（２）を説明するための図である。図１５に示されるように、ＣＵ１０ＢのＲＲＣバージョンがＲｅｌ−１５、ＣＵ１０ＣのＲＲＣバージョンがＲｅｌ−１６、ＤＵ１０ＡのＲＲＣバージョンがＲｅｌ−１６であった場合、ＣＵ１０ＢとＣＵ１０Ｃとが協調することにより、ＣＵ間で共通する最上位のバージョンすなわちＣＵ間で最も低いバージョンがＲｅｌ−１５であることが各ＣＵ１０で判別できるため、ＤＵ１０Ａから「Ｆ１  ｓｅｔｕｐ  Ｒｅｑ．（Ｒｅｌ−１６）」がＣＵ１０Ｃに送信された場合、ＣＵ１０Ｃは、「Ｆ１  ｓｅｔｕｐ  Ｒｅｓｐ．（Ｒｅｌ−１５）」をＤＵ１０Ａに送信して、ＣＵ１０Ｃ−ＤＵ１０Ａのインタフェースにおいて、ＣＵ１０Ｂ−ＤＵ１０Ａのインタフェースと同一のＲＲＣバージョンであるＲｅｌ−１５を使用してもよい。
【００５６】
図１６は、本発明の実施の形態におけるバージョン通知動作の例（３）を説明するための図である。ＤＵ１０を介して、ＣＵ−ＤＵインタフェースで使用されるＲＲＣバージョンがＣＵ間で協調されてもよい。例えば、ＤＵ１０は、あるＣＵ１０のＲＲＣバージョンを既にＨＬＳインタフェースが確立されている他のＣＵ１０に改めて通知することで、ＲＲＣバージョンをＣＵ間で整合させてもよい。
【００５７】
図１６に示されるように、ＣＵ１０Ｃ−ＤＵ１０ＡのインタフェースはＲＲＣバージョンがＲｅｌ−１６で確立されている。当該状態において、ＤＵ１０Ａは、「Ｆ１  ｓｅｔｕｐ  Ｒｅｑ．（Ｒｅｌ−１６）」をＣＵ１０Ｂに送信する。続いて、ＣＵ１０Ｂは、「Ｆ１  ｓｅｔｕｐ  Ｒｅｓｐ．（Ｒｅｌ−１５）」をＤＵ１０Ａに送信する。続いて、ＤＵ１０Ａは、ＣＵ１０ＣのインタフェースのＲＲＣバージョンよりもＣＵ１０ＢのインタフェースのＲＲＣバージョンが低いため、「ｇＮＢ−ＤＵ  ｃｏｎｆｉｇ  ｕｐｄａｔｅ（Ｒｅｌ−１５）」をＣＵ１０Ｃに送信して、ＣＵ１０Ｃ−ＣＵ１０ＡのインタフェースのＲＲＣバージョンをＲｅｌ−１５に変更する。Ｆ１メッセージ名「ｇＮＢ−ＤＵ  ｃｏｎｆｉｇ  ｕｐｄａｔｅ」は例であり、他の名称であってもよい。
【００５８】
図１７は、本発明の実施の形態におけるバージョン通知動作の例（４）を説明するための図である。
ＤＵ１０は、既に確立されたＦ１インタフェースを切断して、他のＣＵ１０で使用されているＲＲＣバージョンで再度Ｆ１インタフェースを確立してもよい。
【００５９】
図１７に示されるように、ＣＵ１０Ｃ−ＤＵ１０ＡのインタフェースはＲＲＣバージョンがＲｅｌ−１６で確立されている。当該状態において、ＤＵ１０Ａは、「Ｆ１  ｓｅｔｕｐ  Ｒｅｑ．（Ｒｅｌ−１６）」をＣＵ１０Ｂに送信する。続いて、ＣＵ１０Ｂは、「Ｆ１  ｓｅｔｕｐ  Ｒｅｓｐ．（Ｒｅｌ−１５）」をＤＵ１０Ａに送信する。続いて、ＤＵ１０Ａは、ＣＵ１０ＣのインタフェースのＲＲＣバージョンよりもＣＵ１０ＢのインタフェースのＲＲＣバージョンが低いため、「Ｆ１  ｓｅｔｕｐ  Ｒｅｑ．（Ｒｅｌ−１５）」をＣＵ１０Ｃに送信する。続いて、ＣＵ１０Ｃは、「Ｆ１  ｓｅｔｕｐ  Ｒｅｓｐ．（Ｒｅｌ−１５）」をＤＵ１０Ａに送信して、ＣＵ１０Ｃ−ＣＵ１０ＡのインタフェースのＲＲＣバージョンをＲｅｌ−１５に変更する。
【００６０】
上述の実施例により、複数のＣＵがＤＵに接続される構成において、ネットワークノードであるＤＵは、ＵＥから受信したメッセージを送信する対象となるＣＵ−ＤＵ間ＨＬＳインタフェースを適切に決定することができる。
【００６１】
すなわち、無線通信システムにおけるネットワークノード間で整合された情報を送受信することができる。
【００６２】
（装置構成）
次に、これまでに説明した処理及び動作を実行する基地局装置１０及びユーザ装置２０の機能構成例を説明する。基地局装置１０及びユーザ装置２０は上述した実施例を実施する機能を含む。ただし、基地局装置１０及びユーザ装置２０はそれぞれ、実施例の中の一部の機能のみを備えることとしてもよい。
【００６３】
＜基地局装置１０＞
図１８は、本発明の実施の形態における基地局装置１０の機能構成の一例を示す図である。図１８に示されるように、基地局装置１０は、送信部１１０と、受信部１２０と、設定部１３０と、制御部１４０とを有する。図１８に示される機能構成は一例に過ぎない。本発明の実施の形態に係る動作を実行できるのであれば、機能区分及び機能部の名称はどのようなものでもよい。また、基地局装置１０は、分離されたＣＵ１０又はＤＵ１０であってもよい。
【００６４】
送信部１１０は、ユーザ装置２０側に送信する信号を生成し、当該信号を無線で送信する機能を含む。また、送信部１１０は、ネットワークノード間メッセージを他のネットワークノードに送信する。受信部１２０は、ユーザ装置２０から送信された各種の信号を受信し、受信した信号から、例えばより上位のレイヤの情報を取得する機能を含む。また、送信部１１０は、ユーザ装置２０へＮＲ−ＰＳＳ、ＮＲ−ＳＳＳ、ＮＲ−ＰＢＣＨ、ＤＬ／ＵＬ制御信号等を送信する機能を有する。ままた、受信部１２０は、ネットワークノード間メッセージを他のネットワークノードから受信する。
【００６５】
設定部１３０は、予め設定される設定情報、及び、ユーザ装置２０に送信する各種の設定情報を記憶装置に格納し、必要に応じて記憶装置から読み出す。設定情報の内容は、例えば、ＲＲＣメッセージに係る設定情報、ユーザ装置２０の通信に係る設定情報等である。
【００６６】
制御部１４０は、実施例において説明したように、ＲＲＣメッセージを送受信する無線通信を制御する。また、制御部１４０は、ユーザ装置２０の通信に係る設定に係る初期化を制御する。制御部１４０における信号送信に関する機能部を送信部１１０に含め、制御部１４０における信号受信に関する機能部を受信部１２０に含めてもよい。
【００６７】
＜ユーザ装置２０＞
図１９は、本発明の実施の形態におけるユーザ装置２０の機能構成の一例を示す図である。図１９に示されるように、ユーザ装置２０は、送信部２１０と、受信部２２０と、設定部２３０と、制御部２４０とを有する。図１９に示される機能構成は一例に過ぎない。本発明の実施の形態に係る動作を実行できるのであれば、機能区分及び機能部の名称はどのようなものでもよい。
【００６８】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１０から送信されるＮＲ−ＰＳＳ、ＮＲ−ＳＳＳ、ＮＲ−ＰＢＣＨ、ＤＬ／ＵＬ／ＳＬ制御信号等を受信する機能を有する。また、例えば、送信部２１０は、Ｄ２Ｄ通信として、他のユーザ装置２０に、ＰＳＣＣＨ（Physical Sidelink Control Channel）、ＰＳＳＣＨ（Physical Sidelink Shared Channel）、ＰＳＤＣＨ（Physical Sidelink Discovery Channel）、ＰＳＢＣＨ（Physical Sidelink Broadcast Channel）等を送信し、受信部１２０は、他のユーザ装置２０から、ＰＳＣＣＨ、ＰＳＳＣＨ、ＰＳＤＣＨ又はＰＳＢＣＨ等を受信する。
【００６９】
設定部２３０は、受信部２２０により基地局装置１０又はユーザ装置２０から受信した各種の設定情報を記憶装置に格納し、必要に応じて記憶装置から読み出す。また、設定部２３０は、予め設定される設定情報も格納する。設定情報の内容は、例えば、ＲＲＣメッセージに係る設定情報等である。
【００７０】
制御部２４０は、実施例において説明したように、ＲＲＣメッセージを送受信する無線通信を制御する。また、制御部２４０は、基地局装置１０から無線通信に係る情報を受信して、当該情報に基づいてユーザ装置２０の無線通信を制御し、必要な情報を基地局装置１０に報告する。制御部２４０における信号送信に関する機能部を送信部２１０に含め、制御部２４０における信号受信に関する機能部を受信部２２０に含めてもよい。
【００７１】
（ハードウェア構成）
上記実施形態の説明に用いたブロック図（図１８及び図１９）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００７２】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００７３】
例えば、本開示の一実施の形態における基地局装置１０、ユーザ装置２０等は、本開示の無線通信方法の処理を行うコンピュータとして機能してもよい。図２０は、本開示の一実施の形態に係る基地局装置１０及びユーザ装置２０のハードウェア構成の一例を示す図である。上述の基地局装置１０及びユーザ装置２０は、物理的には、プロセッサ１００１、記憶装置１００２、補助記憶装置１００３、通信装置１００４、入力装置１００５、出力装置１００６、バス１００７などを含むコンピュータ装置として構成されてもよい。
【００７４】
なお、以下の説明では、「装置」という文言は、回路、デバイス、ユニット等に読み替えることができる。基地局装置１０及びユーザ装置２０のハードウェア構成は、図に示した各装置を１つ又は複数含むように構成されてもよいし、一部の装置を含まずに構成されてもよい。
【００７５】
基地局装置１０及びユーザ装置２０における各機能は、プロセッサ１００１、記憶装置１００２等のハードウェア上に所定のソフトウェア（プログラム）を読み込ませることによって、プロセッサ１００１が演算を行い、通信装置１００４による通信を制御したり、記憶装置１００２及び補助記憶装置１００３におけるデータの読み出し及び書き込みの少なくとも一方を制御したりすることによって実現される。
【００７６】
プロセッサ１００１は、例えば、オペレーティングシステムを動作させてコンピュータ全体を制御する。プロセッサ１００１は、周辺装置とのインタフェース、制御装置、演算装置、レジスタ等を含む中央処理装置（ＣＰＵ：Central Processing Unit）で構成されてもよい。例えば、上述の制御部１４０、制御部２４０等は、プロセッサ１００１によって実現されてもよい。
【００７７】
また、プロセッサ１００１は、プログラム（プログラムコード）、ソフトウェアモジュール又はデータ等を、補助記憶装置１００３及び通信装置１００４の少なくとも一方から記憶装置１００２に読み出し、これらに従って各種の処理を実行する。プログラムとしては、上述の実施の形態において説明した動作の少なくとも一部をコンピュータに実行させるプログラムが用いられる。例えば、図１８に示した基地局装置１０の制御部１４０は、記憶装置１００２に格納され、プロセッサ１００１で動作する制御プログラムによって実現されてもよい。また、例えば、図１９に示したユーザ装置２０の制御部２４０は、記憶装置１００２に格納され、プロセッサ１００１で動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されてもよい。
【００７８】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の少なくとも１つによって構成されてもよい。記憶装置１００２は、レジスタ、キャッシュ、メインメモリ（主記憶装置）等と呼ばれてもよい。記憶装置１００２は、本開示の一実施の形態に係る通信方法を実施するために実行可能なプログラム（プログラムコード）、ソフトウェアモジュール等を保存することができる。
【００７９】
補助記憶装置１００３は、コンピュータ読み取り可能な記録媒体であり、例えば、ＣＤ−ＲＯＭ（Compact Disc ROM）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つによって構成されてもよい。上述の記憶媒体は、例えば、記憶装置１００２及び補助記憶装置１００３の少なくとも一方を含むデータベース、サーバその他の適切な媒体であってもよい。
【００８０】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、送受信アンテナ、アンプ部、送受信部、伝送路インターフェース等は、通信装置１００４によって実現されてもよい。送受信部は、送信部と受信部とで、物理的に、または論理的に分離された実装がなされてもよい。
【００８１】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、LEDランプ等）である。なお、入力装置１００５及び出力装置１００６は、一体となった構成（例えば、タッチパネル）であってもよい。
【００８２】
また、プロセッサ１００１及び記憶装置１００２等の各装置は、情報を通信するためのバス１００７によって接続される。バス１００７は、単一のバスを用いて構成されてもよいし、装置間ごとに異なるバスを用いて構成されてもよい。
【００８３】
また、基地局装置１０及びユーザ装置２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）等のハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００８４】
（実施の形態のまとめ）
以上、説明したように、本発明の実施の形態によれば、ユーザ装置から上位レイヤのメッセージを受信する受信部と、上位レイヤを終端し、かつ分離する複数の上位ネットワークノードから、前記上位レイヤのメッセージを送信する上位ネットワークノードを決定する制御部と、前記決定された上位ネットワークノードに前記上位レイヤのメッセージを送信する送信部とを有するネットワークノードが提供される。
【００８５】
上記の構成により、複数のＣＵがＤＵに接続される構成において、ネットワークノードであるＤＵは、ＵＥから受信したメッセージを送信する対象となるＣＵ−ＤＵ間ＨＬＳインタフェースを適切に決定することができる。すなわち、無線通信システムにおけるネットワークノード間で整合された情報を送受信することができる。
【００８６】
前記制御部は、前記上位レイヤのメッセージの一部をデコードした結果に基づいて、前記上位レイヤのメッセージを送信する上位ネットワークノードを決定してもよい。当該構成により、ＤＵは、ＲＲＣメッセージのすべてをデコードすることなく効率的にＲＲＣメッセージを送信するＣＵを決定することができる。
【００８７】
前記制御部は、前記上位レイヤのメッセージのうち、前記上位レイヤのメッセージを送信する上位ネットワークノードを決定するために必要な部分のみをデコードしてもよい。当該構成により、ＤＵは、ＲＲＣメッセージのすべてをデコードすることなく効率的にＲＲＣメッセージを送信するＣＵを決定することができる。
【００８８】
前記制御部は、前記複数の上位ネットワークノードに接続を試行することで、前記上位レイヤのメッセージを送信する上位ネットワークノードを決定してもよい。当該構成により、ＤＵは、複数のＣＵに接続を試行することで、ＲＲＣメッセージを送信するＣＵを決定することができる。
【００８９】
前記制御部は、前記複数の上位ネットワークノードに接続を試行した応答に基づいて、前記上位レイヤのメッセージを送信する上位ネットワークノードを決定してもよい。当該構成により、ＤＵは、複数のＣＵに接続を試行し、複数のＣＵから受信した応答に基づいて、ＲＲＣメッセージを送信するＣＵを決定することができる。
【００９０】
前記制御部は、前記複数の上位ネットワークノードのうち、優先インタフェースが設定された上位ネットワークノードから受信した指示に基づいて、前記上位レイヤのメッセージを送信する上位ネットワークノードを決定してもよい。当該構成により、ＤＵは、優先インタフェースが設定されたＣＵから受信した指示に基づいて、ＲＲＣメッセージを送信するＣＵを決定することができる。
【００９１】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１０及びユーザ装置２０は機能的なブロック図を用いて説明されたが、そのような装置はハードウェアで、ソフトウェアで又はそれらの組み合わせで実現されてもよい。本発明の実施の形態に従って基地局装置１０が有するプロセッサにより動作するソフトウェア及び本発明の実施の形態に従ってユーザ装置２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９２】
また、情報の通知は、本開示で説明した態様／実施形態に限られず、他の方法を用いて行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージ等であってもよい。
【００９３】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００９４】
本明細書で説明した各態様／実施形態の処理手順、シーケンス、フローチャート等は、矛盾の無い限り、順序を入れ替えてもよい。例えば、本開示において説明した方法については、例示的な順序を用いて様々なステップの要素を提示しており、提示した特定の順序に限定されない。
【００９５】
本明細書において基地局装置１０によって行われるとした特定動作は、場合によってはその上位ノード（upper node）によって行われることもある。基地局装置１０を有する１つ又は複数のネットワークノード（network nodes）からなるネットワークにおいて、ユーザ装置２０との通信のために行われる様々な動作は、基地局装置１０及び基地局装置１０以外の他のネットワークノード（例えば、ＭＭＥ又はＳ−ＧＷ等が考えられるが、これらに限られない）の少なくとも１つによって行われ得ることは明らかである。上記において基地局装置１０以外の他のネットワークノードが１つである場合を例示したが、他のネットワークノードは、複数の他のネットワークノードの組み合わせ（例えば、ＭＭＥ及びＳ−ＧＷ）であってもよい。
【００９６】
本開示において説明した情報又は信号等は、上位レイヤ（又は下位レイヤ）から下位レイヤ（又は上位レイヤ）へ出力され得る。複数のネットワークノードを介して入出力されてもよい。
【００９７】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００９８】
本開示における判定は、１ビットで表される値（０か１か）によって行われてもよいし、真偽値（Boolean：true又はfalse）によって行われてもよいし、数値の比較（例えば、所定の値との比較）によって行われてもよい。
【００９９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１００】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１０１】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０２】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１０３】
本開示において使用する「システム」及び「ネットワーク」という用語は、互換的に使用される。
【０１０４】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１０５】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１０６】
本開示においては、「基地局（ＢＳ：Base  Station）」、「無線基地局」、「基地局装置」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１０７】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１０８】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１０９】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１１０】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１１１】
また、本開示における基地局は、ユーザ端末で読み替えてもよい。例えば、基地局及びユーザ端末間の通信を、複数のユーザ装置２０間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局装置１０が有する機能をユーザ装置２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１１２】
同様に、本開示におけるユーザ端末は、基地局で読み替えてもよい。この場合、上述のユーザ端末が有する機能を基地局が有する構成としてもよい。
【０１１３】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１１４】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１１５】
参照信号は、ＲＳ（Reference  Signal）と略称することもでき、適用される標準によってパイロット（Pilot）と呼ばれてもよい。
【０１１６】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１７】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１１８】
上記の各装置の構成における「手段」を、「部」、「回路」、「デバイス」等に置き換えてもよい。
【０１１９】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１２０】
無線フレームは時間領域において１つ又は複数のフレームによって構成されてもよい。時間領域において１つ又は複数の各フレームはサブフレームと呼ばれてもよい。サブフレームは更に時間領域において１つ又は複数のスロットによって構成されてもよい。サブフレームは、ニューメロロジ（numerology）に依存しない固定の時間長（例えば、１ｍｓ）であってもよい。
【０１２１】
ニューメロロジは、ある信号又はチャネルの送信及び受信の少なくとも一方に適用される通信パラメータであってもよい。ニューメロロジは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１２２】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジに基づく時間単位であってもよい。
【０１２３】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１２４】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１２５】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１２６】
ここで、ＴＴＩは、例えば、無線通信におけるスケジューリングの最小時間単位のことをいう。例えば、ＬＴＥシステムでは、基地局が各ユーザ装置２０に対して、無線リソース（各ユーザ装置２０において使用することが可能な周波数帯域幅、送信電力など）を、ＴＴＩ単位で割り当てるスケジューリングを行う。なお、ＴＴＩの定義はこれに限られない。
【０１２７】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１２８】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１２９】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１３０】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１３１】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジに関わらず同じであってもよく、例えば１２であってもよい。ＲＢに含まれるサブキャリアの数は、ニューメロロジに基づいて決定されてもよい。
【０１３２】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１３３】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１３４】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１３５】
帯域幅部分（ＢＷＰ：Bandwidth  Part）（部分帯域幅などと呼ばれてもよい）は、あるキャリアにおいて、あるニューメロロジ用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１３６】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１３７】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１３８】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１３９】
本開示において、例えば、英語でのa,  an及びtheのように、翻訳により冠詞が追加された場合、本開示は、これらの冠詞の後に続く名詞が複数形であることを含んでもよい。
【０１４０】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１４１】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１４２】
なお、本開示において、ＣＵ１０は、上位ネットワークノードの一例である。ＲＲＣメッセージは、上位レイヤのメッセージの一例である。
【０１４３】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【符号の説明】
【０１４４】
１０        基地局装置
１１０      送信部
１２０      受信部
１３０      設定部
１４０      制御部
２０        ユーザ装置
２１０      送信部
２２０      受信部
２３０      設定部
２４０      制御部
１００１    プロセッサ
１００２    記憶装置
１００３    補助記憶装置
１００４    通信装置
１００５    入力装置
１００６    出力装置
【図１】
2020166006.tif 000003
【図２】
2020166006.tif 000004
【図３】
2020166006.tif 000005
【図４】
2020166006.tif 000006
【図５】
2020166006.tif 000007
【図６】
2020166006.tif 000008
【図７】
2020166006.tif 000009
【図８】
2020166006.tif 000010
【図９】
2020166006.tif 000011
【図１０】
2020166006.tif 000012
【図１１】
2020166006.tif 000013
【図１２】
2020166006.tif 000014
【図１３Ａ】
2020166006.tif 000015
【図１３Ｂ】
2020166006.tif 000016
【図１３Ｃ】
2020166006.tif 000017
【図１４】
2020166006.tif 000018
【図１５】
2020166006.tif 000019
【図１６】
2020166006.tif 000020
【図１７】
2020166006.tif 000021
【図１８】
2020166006.tif 000022
【図１９】
2020166006.tif 000023
【図２０】
2020166006.tif 000024
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
ユーザ装置から上位レイヤのメッセージを受信する受信部と、
上位レイヤを終端する複数の上位ネットワークノードから、前記上位レイヤのメッセージを送信する上位ネットワークノードを決定する制御部と、
前記決定された上位ネットワークノードに前記上位レイヤのメッセージを送信する送信部とを有するネットワークノード。
【請求項２】
前記制御部は、前記上位レイヤのメッセージの少なくとも一部をデコードした結果に基づいて、前記上位レイヤのメッセージを送信する上位ネットワークノードを決定する請求項１記載のネットワークノード。
【請求項３】
前記制御部は、前記複数の上位ネットワークノードに接続を試行することで、前記上位レイヤのメッセージを送信する上位ネットワークノードを決定する請求項１記載のネットワークノード。
【請求項４】
前記制御部は、前記複数の上位ネットワークノードに接続を試行した応答に基づいて、前記上位レイヤのメッセージを送信する上位ネットワークノードを決定する請求項３記載のネットワークノード。
【国際調査報告】
2020166006.tif 000025
2020166006.tif 000026